(57)【要約】【課題】原稿表裏の画像データを並行してメモリに書き込み、高速で順番に読み出し、共通の画像処理部で、表裏の画像データに応じて画像処理パラメータを切り換えながら画像処理する装置において、複数枚の原稿の連続読取時の生産性を上げる。【解決手段】原稿表裏の画像データは、表面画像データ記憶領域458a、裏面画像データ記憶領域458bに１枚目の表裏の画像データ、２枚目の表裏の画像データの順に書き込まれる。読み出しは、１枚目の表面画像データ、２枚目の表面画像データ、１枚目の裏面画像データ、２枚目の裏面画像データの順に行われる。原稿表裏の画像データに応じた画像処理パラメータの切換回数が半減するため、生産性が上がる。【選択図】  図１２
2010034751.tif 000002
【特許請求の範囲】
【請求項１】
原稿の一方の面の画像を読み取る第１の画像読取手段と、原稿の他方の面の画像を読み取る第２の画像読取手段と、前記第１の画像読取手段で読み取られた第１の画像データ及び前記第２の画像読取手段で読み取られた第２の画像データが記憶される記憶手段と、前記第１の画像データ及び第２の画像データを前記記憶手段に並行して書き込む書き込み制御手段と、前記記憶手段から前記第１の画像データ及び第２の画像データを書き込み速度よりも高速で順番に読み出す読み出し制御手段と、前記記憶手段から読み出された第１の画像データ及び第２の画像データを順番に画像処理する画像処理手段と、前記画像処理手段の画像処理パラメータを前記第１の画像データ及び第２の画像データに応じて設定するパラメータ設定手段とを有する画像読取装置において、
前記第１の画像読取手段及び第２の画像読取手段が複数枚の原稿を連続的に読み取り、前記書き込み制御手段が読み取られた複数枚の原稿の画像データを連続的に書き込み、前記読み出し制御手段が前記複数枚以内の所定枚の原稿の第１の画像データを読み出した後に前記所定枚の原稿の第２の画像データを読み出す動作モードを有することを特徴とする画像読取装置。
【請求項２】
請求項１に記載された画像読取装置において、
前記動作モードに設定されているとき、操作表示手段からの画像密度設定に応じて、書き込み画像データの間引きを行う間引き手段を有することを特徴とする画像読取装置。
【請求項３】
請求項１に記載された画像読取装置において、
前記パラメータ設定手段は、第１の画像データの画像処理が終了した後、第２の画像データが記憶手段から読み出される前に第２の画像データに応じた設定を行い、第２の画像データの画像処理が終了した後、次の第１の画像データが記憶手段から読み出される前に第１の画像データに応じた設定を行うことを特徴とする画像読取装置。
【請求項４】
請求項１に記載された画像読取装置において、
前記第１の画像読取手段と前記第２の画像読取手段とはイメージセンサの種類が異なり、前記パラメータ設定手段は、イメージセンサの種類に応じた画像処理パラメータを設定することを特徴とする画像読取装置。
【請求項５】
請求項１に記載された画像読取装置において、
前記第１の画像読取手段と前記第２の画像読取手段とは光源の種類が異なり、前記パラメータ設定手段は、光源の種類に応じた画像処理パラメータを設定することを特徴とする画像読取装置。
【請求項６】
請求項１に記載された画像読取装置において、
操作表示手段から読取枚数が複数であることが入力されたことに応じて、前記動作モードを設定する手段を有することを特徴とする画像読取装置。
【請求項７】
請求項１〜７に記載された画像読取装置を有することを特徴とする画像蓄積装置。
【請求項８】
請求項１〜７に記載された画像読取装置を有することを特徴とする画像形成装置。
【発明の詳細な説明】
【技術分野】
【０００１】
本発明は、原稿の表裏両面の画像を読取部に対する１回の搬送で読み取ることの出来る画像読取装置、並びにそれを備えた画像蓄積装置及びデジタル複合機に関し、詳細には、原稿表裏の画像データに応じた画像処理パラメータの切換回数を低減することにより読取生産性の向上が可能な画像読取装置、画像蓄積装置、及び画像形成装置に関する。
【背景技術】
【０００２】
複写機、画像蓄積装置、ファクシミリ装置、スキャナ装置、並びに複写機能、ファクシミリ機能、及びプリンタ機能を備えたデジタル複合機の画像情報入力手段として用いられる画像読取装置として、原稿の表裏両面の画像を自動的に読み取る画像読取装置がある。
【０００３】
このような画像読取装置には、原稿読取部で原稿の片面を読み取った後に原稿を排出し、排出された原稿を表裏反転させて再び原稿読取部に搬送し、他の片面を読み取るように構成したものがある。しかし、この画像読取装置の場合、原稿の両面をシーケンシャル（順次）に読み取るため、読取に時間がかかり、両面読取の生産性（単位時間当たりの読取枚数）が低い。また、原稿反転による原稿搬送距離の増加に起因する原稿痛めや原稿詰まりを抑えるため、搬送機構などに高い信頼性が必要となる。さらに、原稿反転機構の追加が必要であり、かつ搬送機構の高信頼性が必要なことから、コストが高い。
【０００４】
この問題を解決することのできる画像読取装置として、読取部への一回の原稿搬送で原稿両面の画像を読み取る１パス読取を採用した画像読取装置がある（特許文献１参照）。この画像読取装置は原稿搬送路の表裏両面側に各々イメージセンサを備え、一回の原稿搬送で両面の画像を読み取るように構成されている。これにより、読取時間が短縮され、原稿反転機構が不要となり、原稿痛めや原稿詰まりが軽減される。
【０００５】
しかし、このような１パス読取を採用した画像読取装置は、並行動作可能な表面用画像処理回路及び裏面用画像処理回路を備えているため、装置の大型化及びコストアップを招いている。
【０００６】
そこで、この問題を解決することのできる画像読取装置として、原稿表裏の画像データを並行して画像メモリに書き込み、画像メモリから高速で順番に読み出し、表面画像データ、裏面画像データともに共通の画像処理部で、表裏の画像データに応じて画像処理パラメータを切り換えながら画像処理する画像読取装置が提案された（特許文献２参照）。
【０００７】
しかしながら、この画像読取装置では、両面原稿の１枚毎に表裏のパラメータを切り換えるため、複数枚の両面原稿を連続的に読み取る場合、原稿毎に画像処理パラメータの切換処理が行われることになり、生産性が低下するという問題がある。
【０００８】
【特許文献１】特開２００２−７７５９６号公報
【特許文献２】特開２００８−１１８２６９号公報
【発明の開示】
【発明が解決しようとする課題】
【０００９】
本発明は、このような問題を解決するためになされたもので、その目的は、原稿表裏の画像データを並行してメモリに書き込み、メモリから高速で順番に読み出し、表面画像データ、裏面画像データともに共通の画像処理部で、表裏の画像データに応じて画像処理パラメータを切り換えながら画像処理する機能を有する画像読取装置において、複数枚の両面原稿の連続的を読み取る場合の生産性を向上させることである。
【課題を解決するための手段】
【００１０】
本発明は、原稿の一方の面の画像を読み取る第１の画像読取手段と、原稿の他方の面の画像を読み取る第２の画像読取手段と、前記第１の画像読取手段で読み取られた第１の画像データ及び前記第２の画像読取手段で読み取られた第２の画像データが記憶される記憶手段と、前記第１の画像データ及び第２の画像データを前記記憶手段に並行して書き込む書き込み制御手段と、前記記憶手段から前記第１の画像データ及び第２の画像データを書き込み速度よりも高速で順番に読み出す読み出し制御手段と、前記記憶手段から読み出された第１の画像データ及び第２の画像データを順番に画像処理する画像処理手段と、前記画像処理手段の画像処理パラメータを前記第１の画像データ及び第２の画像データに応じて設定するパラメータ設定手段とを有する画像読取装置において、前記第１の画像読取手段及び第２の画像読取手段が複数枚の原稿を連続的に読み取り、前記書き込み制御手段が読み取られた複数枚の原稿の画像データを連続的に書き込み、前記読み出し制御手段が前記複数枚以内の所定枚の原稿の第１の画像データを読み出した後に前記所定枚の原稿の第２の画像データを読み出す動作モードを有することを特徴とする。
【００１１】
［作用］
本発明の画像読取装置によれば、前記動作モードに設定して、複数枚の原稿を連続的に読み取った場合、パラメータ設定手段は、複数枚以内の所定枚毎に表裏の画像データに対する画像処理パラメータを設定するため、原稿１枚毎に表裏の画像データに対する画像処理パラメータを設定する場合と比べ、画像処理パラメータの設定回数が所定数分の１に減少する。
【発明の効果】
【００１２】
本発明によれば、原稿表裏の画像データを並行してメモリに書き込み、メモリから高速で順番に読み出し、表面画像データ、裏面画像データともに共通の画像処理部で、表裏の画像データに応じて画像処理パラメータを切り換えながら画像処理する機能を有する画像読取装置において、複数枚の両面原稿を連続的に読み取る場合の生産性が向上する。
【発明を実施するための最良の形態】
【００１３】
以下、本発明の実施形態について図面を参照しながら説明する。
まず本発明の実施形態の説明に先立ち、図１〜図９を参照しながら本発明の適用対象である画像形成装置について説明する。
【００１４】
この画像形成装置は、システム制御ユニット１、画像読取ユニット（スキャナ）２、画像処理ユニット３、画像書き込みユニット４、操作部ユニット５、複写機機構部６、画像表示ユニット７、ドラムユニット８、中間転写部９、現像部10、給紙部11、及び定着部12を備えている。ここで、操作部ユニット５と、画像表示ユニット７とを個別に設ける代わりに、切替えて使用することのできる１つのユニットとして構成してもよい。
【００１５】
画像読取ユニット２により、原稿を光源により照射しながら原稿を走査して、原稿からの反射光を読み取り、画像データを画像処理ユニット３に送る。画像処理ユニット３では、スキャナγ補正、色変換、主走査変倍、画像分離、加工、エリア処理、階調補正処理などの画像処理を行なった画像データを画像書き込みユニット４へ送る。
【００１６】
画像書き込みユニット４では、画像データに応じてＬＤ（レーザダイオード）の駆動を変調する。ドラムユニット８では一様に帯電された回転する感光体ドラムに前記ＬＤからのレーザビームにより潜像を書き込み、現像部10によりトナーを付着させて顕像化させる。
【００１７】
感光体ドラム上に作られた画像は、中間転写部９の中間転写ユニットの転写ベルト上に再転写される。中間転写ベルト上にはフルカラーコピーの場合４色（Ｂｋ、Ｃ、Ｍ、Ｙ）のトナーが順次重ねられる。フルカラーコピーの場合にはＢｋ、Ｃ、Ｍ、Ｙの４色作像・転写工程が終了した時点で中間転写ベルトとタイミングを合わせて、給紙部11より転写紙が給紙され、紙転写部で中間転写ベルトから４色同時に転写紙にトナーが転写される。トナーが転写された転写紙は搬送部を経て定着部12に送られ、定着ローラと加圧ローラによって熱定着され排紙される。
【００１８】
また、コピーモード等のユーザが設定するものは、操作部ユニット５によって入力される。設定されたコピーモード等の操作モードはシステム制御ユニット１へ送られ、システム制御ユニット１では設定されたコピーモードを実行するための制御処理を行う。この時、システム制御ユニット１から、画像読取ユニット２、画像処理ユニット３、画像書き込みユニット４、画像表示ユニット７等のユニットに対し制御指示を行う。
【００１９】
画像表示ユニット７に画像読取ユニット２から読み取った画像を表示するには、システム制御ユニット１からの制御指示により、画像読取ユニット２が原稿画像の読み取りをスタートし、画像読取ユニット２からの画像信号に対して、画像処理ユニット３において画像表示装置で表示するのに適した画像処理を行った後、画像表示ユニット７に原稿の画像データを出力する。
【００２０】
図２は画像表示ユニット７の回路構成を示すブロック図である。画像処理ユニット７は、ＦＩＦＯ（ラインバッファ）71、ＤＲＡＭ（画像データ格納用メモリ）72、ＣＰＵ73、ＶＲＡＭ（ビデオメモリ）74、ＬＣＤコントローラ75、ＬＣＤ（液晶パネル）76、ＲＯＭ77、ＳＲＡＭ78、シリアル通信ドライバ79、画像データバッファ（ドライバ／レシーバ）80、及びキーボード81からなる。
【００２１】
画像処理ユニット３から出力された画像データは、画像表示ユニット７の画像データバッファ80を介してＦＩＦＯ71に入力され、ＣＰＵ73内蔵のＤＭＡコントローラによって、画像データ格納用のＤＲＡＭ72に格納される。ＣＰＵ73には、システム制御ユニット１から画像データ制御信号がコマンドライン経由でシリアル通信ドライバ79に入力され、有効画像データ（有効画像領域の画像データ）のみをＤＲＡＭ72に格納するように制御する。ＤＲＡＭ72に格納された有効画像データは、ＣＰＵ73によってＶＲＡＭ74にＤＭＡ転送される。このとき、ＣＰＵ73によってＤＲＡＭ72内の画像データの任意の部分の転送、拡大・縮小・間引き、回転（縦横変換・正逆変換）などの処理を行うことも可能である。また、複数の画像を縮小し、プレビュー表示することも可能である。ＶＲＡＭ74に転送された画像データは、ＬＣＤコントローラ75の制御によりＬＣＤ76に表示される。
【００２２】
図３は画像表示ユニット７の外観、つまり図２のＬＣＤ76及びキーボード81の外観の平面図である。この図に示すように、画像表示ユニット７は平面視が略矩形であり、その中央部にディスプレイ309が配置され、その下側に各種キーが配置されている。ディスプレイ309には、原稿の画像、原稿の目安寸法を示すスケール310、及びカーソル311が表示される。各種キーとしては、原稿読取を開始するためのスタートキー301、表示倍率を指定するための画面倍率指定キー302、ディスプレイ309上のカーソル311を移動させるカーソルキー303、カーソル311が示している点を指定する点指定キー304、エリア指定時に始点と終点を結ぶための閉じるキー306、最後に入力した点を取り消すためのクリアキー307、指定したすべての点を取り消すためのオールクリアキー308がある。
【００２３】
また、矩形の枠の下面にはディスプレイ309の明るさを調整するための明るさ調整つまみ312、及びディスプレイ309のコントラストを調整するためのコントラスト調整つまみ313が設けられている。画像表示ユニット７は、表示されている原稿画像のエリアや原稿色等の指定などのディスプレイエディター機能を有する。
【００２４】
図４は操作部ユニット５の外観を示す平面図である。操作部ユニット５は、テンキー41、モードクリア／予熱キー42、割り込みキー43、画質調整キー44、プログラムキー45、プリントスタートキー46、クリア／ストップキー47、エリア加工キー48、輝度調整つまみ49、ＬＣＤ（液晶パネル）上に配置されたタッチパネル50、及び両面原稿モード選択キー51を有する。
【００２５】
テンキー41はコピー枚数などの数値入力を行う場合に使用する。モードクリア／予熱キー42は設定したモードを取り消して初期設定に戻す場合や、一定時間以上の連続押下で予熱状態とする設定を行う場合に使用する。割り込みキー43はコピー中の割り込みや、別の原稿のコピーを行う場合に使用する。画質調整キー44は画質の調整を行うときに使用する。プログラムキー45はよく使用するモードの登録や呼出を行う場合に使用する。プリントスタートキー46はコピー開始を指示するためのキーである。クリア／ストップキー47は入力した数値をクリアする場合や、コピー途中でコピーを中断する場合に使用する。エリア加工キー48は画像表示ユニット７（ディスプレイエディター）上で、エリア加工・編集等のモードを使用する場合に使用する。輝度調整つまみ49はＬＣＤの画面の明るさを調整する。また、タッチパネル50はＬＣＤ上に表示された各種のキーの範囲と同じ範囲にキーエリアを設定して、タッチパネルが前記設定された範囲内の押下を検出すると、その設定されたキーの処理を行う。両面原稿モード選択キー51はユーザが両面原稿の表示方向及び白紙状態の確認・変更設定を選択する場合に使用する。
【００２６】
図５は操作部ユニット５のＬＣＤ上に形成されるタッチパネルキーの一例を示す平面図である。この図に示すように、ＬＣＤ上には、カラーモード、自動濃度、マニュアル濃度、画質モード、自動用紙選択、用紙トレイ、用紙自動変倍、等倍、ソート、スタック等のモード選択表示があり、さらにクリエイト、カラー加工、両面、変倍等のサブ画面選択表示もある。各表示の大きさと同様の大きさのキーがタッチパネル50上に設定されている。
【００２７】
図６に図５の変倍キー押下による画面展開の一例を示す。変倍キーが押下されると、画面下方から変倍設定画面がスクロールアップされる。変倍設定画面には定型変倍（予め変倍率が設定されている変倍モード）用のキーが設定されている。例えば７１％の部分のタッチパネルキーを押下すると、変倍率７１％が選択される。またこの画面には定型変倍以外の変倍モードを選択するため、ズームキー、寸法変倍キー、独立変倍／拡大連写キーが画面左側に設定されている。
【００２８】
図７はタッチパネル検出回路を示す図である。コントローラ501は、検出／測定端子とＸ／Ｙ端子に供給する２値信号の値及びタッチパネル50の各端子Ｘ1，Ｘ2、Ｙ1，Ｙ2を図８示すように設定して、タッチパネル50の押下位置を検出する。端子Ｙ2は抵抗Ｒを介して＋５Ｖの電源にプルアップされている。
【００２９】
検出／測定端子及びＸ／Ｙ端子が０のときは、オア回路502の出力がＬ（低電位）、インバータ512の出力がＨ（高電位）になり、アナログスイッチ503がオン、アナログスイッチ504がオフとなってゲート505及び506がＺ（ハイインピーダンス状態）になり、端子Ｘ2がＺになるとともに端子Ｘ1がＡ／Ｄコンバータ507の入力側Ｖinに接続される。さらに、インバータ508及び509の出力がＨになってゲート510及び511がオンし、端子Ｙ２がＬになって端子Ｙ１がＨになる。
【００３０】
また、検出／測定端子が０でＸ／Ｙ端子が１のときには、オア回路502の出力及びインバータ509の出力がＨになってアナログスイッチ504がオン、アナログスイッチ503がオフとなり、ゲート505及び506がオンして端子Ｘ2がＬになる。そして、インバータ508の出力がＬになってゲート510及び511がＺとなり、端子Ｙ2がＺになる。さらに、端子Ｘ1がＨになって端子Ｙ1がＡ／Ｄコンバータ507の入力側Ｖinに接続される。
【００３１】
検出／測定端子が１になったときにはオア回路502の出力がＨになってアナログスイッチ504がオン、アナログスイッチ503がオフとなり、ゲート505及び506がオンして端子Ｘ2がＬになる。そして、インバータ508の出力がＬになってゲート510及び511がＺとなり、端子Ｙ2がＺになる。さらに、インバータ509の出力がＬになって端子Ｘ1がＬになり、端子Ｙ1がＡ／Ｄコンバータ507の入力側Ｖinに接続される。このとき、端子Ｙ2は抵抗Ｒでプルアップされているため、タッチパネルキー50がオフであれば、Ａ／Ｄコンバータ507の入力側ＶinがＨとなり、タッチパネルキー50がオンすれば、Ａ／Ｄコンバータ507の入力側Ｖinが０Ｖになる。
【００３２】
従って、コントローラ501は、Ａ／Ｄコンバータ507の出力からタッチパネルキー50のオン／オフ状態を確認する。コントローラ501は、タッチパネルキー50のオン状態を検知すると、検出／測定端子を０として測定モードを切り替え、Ｘ／Ｙ端子を１としてＸ方向位置を入力する。このとき、端子Ｘ1が＋５Ｖで端子Ｘ2が０Ｖになり、タッチパネルキー50の押下位置の電位が端子Ｙ1を通してＡ／Ｄコンバータ507によりデジタル値に変換されてコントローラ501に入力される。また、コントローラ501は、Ｘ／Ｙ端子を０としてＹ方向位置を入力する。このとき、端子Ｙ1が＋５Ｖで端子Ｙ2が０Ｖになり、タッチパネルキー50の押下位置の電位が端子Ｘ1を通してＡ／Ｄコンバータ507によりデジタル値に変換されてコントローラ501に入力される。このようにしてタッチパネルキー50の押下位置が検出される。
【００３３】
図９は操作部ユニッ５の回路構成を示すブロック図である。ＣＰＵ104からのアドレス信号はアドレスラッチ105に取り込まれ、ここでＣＰＵ104からの信号により制御される。アドレスラッチ105からのアドレス信号は、その一部がアドレスデコーダ106でデコードされて、ＬＣＤコントローラ101、ＲＯＭ107、ＬＥＤドライバ108などの各ＩＣへのチップセレクト信号となり、メモリマップの作成に使用される。また、アドレスラッチ105からのアドレス信号は、ＲＯＭ107等のメモリやＬＣＤコントローラ101に入力されてアドレス指定に使用される。
【００３４】
また、ＣＰＵ104はデータバスを介してメモリやＬＣＤコントローラ101に接続されており、これらとデータの双方向通信を行う。ＬＣＤコントローラ101には、タッチパネル50、ＬＣＤモジュールからなるＬＣＤ102、ＬＣＤドライバ108、キーボード109、データ表示用のＲＯＭ110及びＲＡＭ111等が接続されている。ＬＣＤコントローラ101は、キーボード109からの信号やタッチパネル50からの信号に基づいて、ＲＯＭ110及びＲＡＭ111のデータから表示データを作成してＬＣＤ102上の表示を制御する。
【００３５】
さらに、ＣＰＵ104は、光トランシーバ112を介して光ファイバー用コネクタが接続されており、外部と双方向通信を行う。ＣＰＵ104は、外部から光トランシーバ112を介してコマンドを受け取ると、ＬＣＤ102上の表示内容を決定して、予めＲＯＭ107に記憶されている画面データであるＣＧＲＯＭ用コードをＲＡＭ111上に展開し、ＬＣＤコントローラ101がそのＣＧＲＯＭ用コードをＲＯＭ110により多数のビットパターンに変換してＬＣＤ102上に表示させる。また、ＣＰＵ104はシステムリセット部113を介してアドレスデコーダ106とデータの送受を行う。
【００３６】
図１０は本発明の実施形態の画像読取装置の概略構成を示す断面図である。この画像読取装置の上部にはシートスルー方式のＡＤＦ21が設けられ、下部には縮小光学読取装置22が設けられている。
【００３７】
ＡＤＦ21は、原稿を載置するための原稿トレイ211と、原稿の画像を読み取り、アナログの電気信号に変換するＣＩＳ（Contact Image Sensor：密着型イメージセンサ）213と、読取後の原稿が排出される排紙トレイ212とを備えている。また、ピックアップローラ214、搬送ドラム215、及び排紙ローラ216などからなる原稿搬送機構を備え、原稿トレイ211に載置された原稿をＣＩＳ213に対向する位置を経て排紙トレイ212へ搬送するように構成されている。
【００３８】
縮小光学読取装置22は、キセノンランプ221とミラーを有する第１キャリッジ222と、２枚のミラーを有する第２キャリッジ223と、レンズ224と、３ラインＣＣＤ（Charge Coupled Device：電荷結合素子）センサ225と、３ラインＣＣＤセンサ225及び３ラインＣＣＤセンサ225からの信号を処理する信号処理部を搭載したセンサボードユニット226と、第１キャリッジ222及び第２キャリッジ223を駆動する図示しない駆動部を備えている。また、縮小光学読取装置22の上面には、第1コンタクトガラス227及び第２コンタクトガラス228が設けられている。
【００３９】
この画像読取装置は、原稿を静止させて原稿の片面の画像を読み取る原稿静止読取モード、ＡＤＦ21により原稿を搬送させながら原稿の片面の画像を読み取る原稿走行読取モード、ＡＤＦ21により原稿を搬送させながら、原稿の両面の画像を読み取る原稿両面読取モードで、原稿の画像の読取を行えるように構成されている。これらの読取モードは、図示しない設定入力部（後述する図１２の操作部489に対応）より設定される。
【００４０】
原稿静止読取モードでは縮小光学読取装置22内の３ラインＣＣＤセンサ225によって読取を行い、原稿走行読取モードではＡＤＦ21内のＣＩＳ213或いは縮小光学読取装置22内の３ラインＣＣＤセンサ225によって読取を行う。また、原稿両面読取モードでは、ＡＤＦ21内のＣＩＳ213、及び縮小光学読取装置22内の３ラインＣＣＤセンサ225の双方を同時に用いて読取を行う。
【００４１】
原稿静止読取モードでは、原稿を下向きにして第２コンタクトガラス228上に載置する。この原稿の画像を読み取るとき、第１キャリッジ222は、光源であるキセノンランプ221を点灯させ原稿下面に光を照射させながら、第２コンタクトガラス228に沿って、左から右に一定速度で移動する。第２キャリッジ223は、第１キャリッジ222の移動速度の１／２の速度で第１キャリッジ222に追従する。原稿からの反射光は第１キャリッジ222のミラーを介し、第２キャリッジの２枚のミラーを介し、レンズ224により３ラインＣＣＤセンサ225に結像する。３ラインＣＣＤセンサ225では結像した光信号をアナログの画像信号に変換し、センサボードユニット226の信号処理部はアナログの画像信号に後述する所定の処理を施し、外部へ出力する。
【００４２】
原稿走行読取モードは、縮小光学読取装置22の第１キャリッジ223が第１コンタクトガラス227の下方位置に固定された状態で、ＡＤＦ21の原稿トレイ211に積載された原稿を原稿搬送機構により搬送し、第１コンタクトガラス227上を通過する際に原稿の表面を読み取るか、又はＡＤＦ21のＣＩＳ213に対向する位置を通過するときに原稿の裏面を読み取る。どちらの面を読み取るかは、図示していない設定入力部より設定され、片面の画像データのみが処理される。原稿の表面を読み取る場合は、原稿静止読取モードと同様、原稿からの反射光は第１キャリッジ222のミラーを介し、第２キャリッジ223の２枚のミラーを介し、レンズ224により３ラインＣＣＤセンサ225に結像する。原稿の裏面をＣＩＳ213で読み取る場合、ＣＩＳ213内のＬＥＤ光源により原稿を照明し、原稿からの反射光をＣＩＳ213内のセルフォック（登録商標）レンズアレイでセンサ素子に集光してアナログの画像信号に変換する。この画像信号はＣＩＳ213内で、別途、図１９に示す通り、所定の処理を施され、外部へ出力される。
【００４３】
原稿両面読取モードは、ＡＤＦ21の原稿トレイ211に積載された原稿を原稿搬送機構により搬送し、一回の原稿搬送で３ラインＣＣＤセンサ225とＣＩＳ213の両方で表裏両面の画像を読み取り、両面の画像データを処理する。ここで、どちらの面を表面又は裏面とするかは、図示していない設定入力部より設定が可能である。
【００４４】
図１１は図１０の画像読取装置を含む画像複写装置の電気的構成を示すブロック図である。この複写装置は、表面画像読取部451と、裏面画像読取部452と、画像データ処理部440と、画像コントロール部441とを備えている。また、図示を省略したが、画像形成部及び用紙搬送部が接続される。
【００４５】
画像データ処理部440は、それぞれがバス461に接続されたデータ変換部453及び454、ＣＰＵ455、ＣＰＵメモリ456、メモリ制御部457、並びに画像処理部459を備えている。また、メモリ制御部457にはメモリ458が接続され、画像処理部459には出力画像処理部471が接続され、出力画像処理部471にはＬＤドライバ472が接続されている。
【００４６】
画像コントロール部441は、ＣＰＵ483と、ＣＰＵ483に接続されたノースブリッジ484と、それぞれがノースブリッジ484に接続された画像コントローラ481、メモリ485及びサウスブリッジ486と、サウスブリッジ486に接続されたＩ／Ｏコントローラ487とを備えている。画像コントローラ481にはＨＤＤ（ハードディスク）482が接続され、Ｉ／Ｏコントローラ487には操作部489、記憶媒体490、連結インタフェース491、及びＬＡＮインタフェース492が接続されている。また、サウスブリッジ486のバスにはオプションスロット488が接続されている。
【００４７】
表面画像読取部451で読み取られた原稿表面の画像データと、裏面画像読取部452で読み取られた原稿裏面の画像データは、画像データ処理部440へ送られる。ここでは、原稿表面の画像はＣＣＤにより読み取り、原稿裏面の画像はＣＩＳにより読み取る設定とする。この設定の場合、表面画像読取部451は図１０のＣＣＤ225及び信号処理部226に対応し、裏面画像読取部452は図１０のＣＩＳ213に対応する。そして、信号処理部226は、ＣＣＤ225からのアナログの画像信号を必要なレベルに増幅し、サンプリングし、デジタルの画像データに変換する。
【００４８】
データ変換部453，454は、本発明の特徴とする間引き処理手段である。操作部489の設定により、間引き処理を実行するかしないかをＣＰＵ483で決定して、制御信号により画像処理部459を介してＣＰＵバス461によりデータ変換部453，454に伝えられ、設定に対応した間引き処理を実行し、後段の画像処理部459に読み取らせる。
【００４９】
データ変換部453から出力された表面画像データ、及びデータ変換部454から出力された裏面画像データは、メモリ制御部457の制御により、メモリ458に一旦書き込まれ、その後に読み出される。メモリ制御部457が本発明（特許請求の範囲）における「書き込み制御手段」及び「読み出し制御手段」に対応する。
【００５０】
図１２は、図１１のメモリ制御部457、メモリ458、及び画像処理部459の入出力データ及び動作クロックの関係を示す図である。データ変換部453，454から供給される表面画像データ及び裏面画像データは、それぞれの画像データクロックで予め定められた表面画像データ記憶領域458a、裏面画像データ記憶領域458bにパラレルに書き込まれる。書き込まれた表面画像データ及び裏面画像データは、画像処理部459の動作クロックにより、表面画像データ、裏面画像データの順番でシリアル（シーケンシャル）に読み出され、画像処理部459に入力される。ここで、画像処理部459の動作クロックは、画像データクロックより高速で動作するため、パラレルに書き込まれた表裏の画像データをシーケンシャルに読み出し、画像処理を行う。
【００５１】
先ず間引き処理が行われない通常モード時について図１３及び図１４を用いて説明する。これらの図は、メモリ458に対する表面画像データ及び裏面画像データの書き込みタイミング及び読み出しタイミングの詳細を示す図である。ここで、表面画像データとは、操作部489にて原稿の表面であることが指定された面を読み取った画像データであり、メモリ458からの読み出し順序は表面画像データが先になる。
【００５２】
まず図１３Ａに示すように、表裏の画像データは、予め決められた表面画像データ記憶領域458a、裏面画像データ記憶領域458bに各画像データクロックに同期して表裏独立に書き込みが開始される。
【００５３】
次いで図１３Ｂに示すように、表面画像データが一定量書き込まれた時点で、画像処理部459の動作クロックに同期して、表面画像データ記憶領域458aからの読み出しを開始する。ここで、一定量書き込まれたことはメモリ制御部457で行われる書き込みライン数の計数値により判定する。以後、図１３Ｃに示すように、表面画像データ記憶領域458aに対する書き込み及び読み出しが続き、表面画像データ全ての書き込みが終了する。また、この動作と並行して、裏面画像データの裏面画像データ記憶領域458bに対する書き込みが続き、表面画像データの書き込み終了とほぼ同時に終了する。
【００５４】
次いで、図１２Ｄに示すように、表面画像データの読み出しが終了し、さらに一定時間（詳細は後述）経過後、図１４Ａに示すように、裏面画像データの読み出しを開始する。そして、図１４Ｂ及びＣに示すように、裏面画像データの読み出しが続き、それが終了することで、一回（原稿１枚の表裏）の読取に対するメモリ動作が終了する。
【００５５】
以上のように、メモリ制御部457で表裏の画像データの流れをシーケンシャルに変換し、画像処理部459で一連の画像処理を行う。ここで、表裏の画像データは、読取デバイスの種類の違いでγ特性やＭＴＦ（Modulation Transfer Function）特性、色フィルタの分光分布等または光源（キセノン光源、ＬＥＤ光源）の違いによりの画像特性が異なっている場合があり、その場合はそれぞれの画像データに適切な画像処理を施すために、処理パラメータを表裏の画像データに応じて変更する必要がある。本実施形態では、画像処理部459が各画像データの処理パラメータをレジスタに持つ構成になっており、以下の手順で処理パラメータを変更する。
【００５６】
まず、表面画像データ記憶領域458aから読み出した表面画像データの画像処理が全て終了した後、裏面画像データ用の処理パラメータに変更する。表面画像データの画像処理終了のタイミングは、画像処理部459内に設けたラインカウンタのカウント値が最終ラインになったことをＣＰＵ455が判断することで検出する。ＣＰＵ455は、表面画像データの画像処理終了のタイミングを検出すると、ＣＰＵメモリ456に記憶されている裏面画像データ用の処理パラメータを画像処理部459のレジスタに設定する。さらに、ＣＰＵ455は、裏面画像データ用の処理パラメータの設定終了後、メモリ制御部457に裏面画像データ読み出しを指示し、読み出しを開始させる。この裏面読み出しを開始するタイミングは、上記の場合は各動作をＣＰＵ455が判断しているが、動作時間が予め想定される場合は固定の時間で管理しても構わない。
【００５７】
次に間引き処理が行われない通常モード時の連続画像読取について図１５及び図１６を用いて説明する。ここで、図１５は原稿の両面読取を複数枚の原稿に対し連続的に行う場合のメモリ458に対する表面画像データ及び裏面画像データの書き込みタイミング及び読み出しタイミングの詳細を示す図であり、図１６はそれらのタイミングとともに処理パラメータの設定タイミングを示す図である。
【００５８】
図１５Ａに示すように、表面画像データの読み出しが終了し、裏面画像データの読み出しが行われているときに、ＣＰＵ455は、原稿トレイ211の原稿センサ（図示せず）の出力に基づいて次の原稿の有無を判断し、次の原稿がある場合、次の原稿の読取が可能なタイミングであるか否かを判断する。次の原稿の読取が可能なタイミングであるか否かは、例えばメモリ制御部457に設けた読み出しラインカウンタのカウント値が一定値を超えているか否か、或いは画像処理部459に設けたラインカウンタのカウント値が一定値を超えているか否か、或いは画像コントロール部441の処理が終了しているか否かによりに判断する。そして、読取が可能なタイミングになっていれば、表面画像読取部451及び裏面画像読取部452に対し、読取動作の開始を指示する。表面画像読取部451及び裏面画像読取部452からの画像データは、それぞれデータ変換部453及び454を経てメモリ458に書き込まれる。
【００５９】
以後、図１５Ｂに示すように、裏面画像データの読み出しと、次の原稿の表面画像データ及び裏面画像データの書き込みが続けられ、図１５Ｃに示すように、裏面画像データの読み出しが終了する。これらの動作と並行して、読み出された裏面画像データに対する画像処理を画像処理部459で実行する。
【００６０】
画像処理部459にて全ての裏面画像データの画像処理が終了したとき、表面画像データ用の処理パラメータに変更する。裏面画像データの画像処理終了のタイミングは、画像処理部459内に設けたラインカウンタのカウント値が最終ラインになったことをＣＰＵ455が判断することで検出する。ＣＰＵ455は、処理パラメータの変更を終え、表面画像データが一定量書き込まれたことを検出したときに、メモリ制御部457に対し、画像処理部459の動作クロックに同期して、表面画像データ記憶領域458aからの読み出しの開始を指示する。これにより、図１５Ｄに示すように、表面画像データの読み出しが始まる。次の動作は図１３Ｃと同じである。
【００６１】
図１６に示すように、最初に期間Ｔ0で最初に処理する表面画像データに対応する処理パラメータを設定した後に、表面画像データ及び裏面画像データを、表面画像データが少し早いタイミングで、並行して書き込むとともに、表面画像データの書き込み中にその読み出しを開始し、読み出された表面画像データを画像処理する。次いで、全ての表面画像データの画像処理が終了した後に、期間Ｔ1内で裏面画像データに対応する処理パラメータを設定してから、期間Ｔ1の終了後に裏面画像データの読み出しを開始する。そして、裏面画像データの読み出しの途中から並行して次の原稿の表面画像データの書き込みを開始するとともに、読み出された裏面画像データを画像処理し、全ての裏面画像データの画像処理が終了した後に、期間Ｔ2内で表面画像データに対応する処理パラメータを設定する。以後は、期間Ｔ1、Ｔ2における処理パラメータの設定と同様、原稿の片面全体の画像処理が終了したとき、次の片面の画像データ用の処理パラメータを設定し、その後に次の片面の画像データの読み出しを開始している。
【００６２】
次に等倍読取時の生産性向上について図１７及び図１８を用いて説明する。まずこれらの図を用いた説明の前に生産性向上の概要について説明する。図１１の操作部489の図示せぬ解像度選択画面において、等倍読取（６００ｄｐｉ）よりも低解像度の読取が選択された場合、低解像度モードとなり、図１１のデータ変換部453，454での低解像度選択に応じた間引き処理を実行する。間引き処理はライン同期信号をデータ変換部453，454内に設けたラインカウンタのカウントにより、例えば３００ｄｐｉ解像度が選択された場合は２ラインに対して１ラインを間引く処理を実行し、２００ｄｐｉ設定であれば３ラインに対して２ラインを間引く処理を実行する。この様に間引かれた画像データがメモリ制御部457に入力される。画像データは間引かれているので通常読取モードに比べて３００ｄｐｉでは表裏の２枚分の画像データを取り込むことが可能となる。読み出し時には、画像データの読み出しの順番を間引かない場合と変えて処理パラメータの切換回数を通常モード時よりも低減することにより、即ち例えば３００ｄｐｉならば２回に１回の切換にすることにより、処理パラメータの切換回数（累積切換時間）が少なくなり、間引き処理との相乗効果によりメモリ書き込み間隔、即ち原稿読取間隔を詰めることが可能となり等倍読取時においても生産性の向上がはかれる。
【００６３】
図１７は低解像モード時の連続画像読取時のメモリ458に対する表面画像データ及び裏面画像データの書き込みタイミング及び読み出しタイミングの詳細を示す図である。
【００６４】
まず図１７Ａ〜Ｂに示すように、原稿表裏の画像データは、予め決められた表面画像データ記憶領域458a、裏面画像データ記憶領域458bに各画像データクロックに同期して１枚目の表裏独立の書き込みが開始される。低解像度モードでは、前段のデータ変換部453，454で間引き処理が行われるため、画像データは容量が少なくなった状態で書き込まれる。本例では３００ｄｐｉに間引き処理された場合、即ち２枚の原稿画像データを書き込み、読み出す例となっているが、操作部設定により２００ｄｐｉの間引き処理が行われた場合は３枚の原稿画像データを書き込み、読み出すことも可能である。１枚目の表面、裏面の間引き後の画像データの書き込み中に、書き込み済みの１枚目の表面画像データの読み出しを開始する。
【００６５】
即ち図１７Ｂに示すように、１枚目の表面画像データが一定量書き込まれた時点で、画像処理部459の動作クロックに同期して、１枚目の表面画像データ記憶領域458aからの読み出しを開始する。ここで、一定量書き込まれたことはメモリ制御部457で行われる書き込みライン数の計数値により判定する。
【００６６】
その後、図１７Ｃに示すように、表面画像データ記憶領域458aに対する２枚目の表面画像データの間引き後の書き込み及び読み出しが続き、その後、裏面画像データ記憶領域458bに対する２枚目の裏面画像データの間引き後の書き込みが行われる。そして、図１７Ｄに示すように、１枚目と２枚目の表面画像データ全ての書き込みが終了し、１枚目と２枚目の表面画像データの読み出しが終了する。
【００６７】
その後、図１７Ｄに示すとおり、１枚目の裏面画像データの裏面画像データ記憶領域458bからの読み出しが開始される。その途中において、図１７Ｅに示すとおり、３枚目の表面画像データの書き込みが行われ、その後は同様に３枚目の裏面画像データが書き込まれる。また、その途中に、２枚目の裏面画像データの読み出しが開始され、終了する。以後は、図１７Ｂ〜Ｅと同様な動作を繰り返すことで、連続して原稿の両面画像データの間引き後の書き込み、読み出しを行う。
【００６８】
図１８は上記のタイミングとともに処理パラメータの設定タイミングを示す図である。最初に期間Ｔ0で最初に処理する表面画像データに対応する処理パラメータを設定した後に、１枚目と２枚目の表面画像データ及び裏面画像データを、表面画像データが少し早いタイミングで、並行して書き込むとともに、１枚目の表面画像データの書き込み中にその読み出しを開始し、読み出された１枚目の表面画像データと２枚目の表面画像データを画像処理する。次いで、全ての表面画像データの画像処理が終了した後に、期間Ｔ1内で裏面画像データに対応する処理パラメータを設定してから、期間Ｔ1の終了後に１枚目の裏面画像データの読み出しを開始する。終了後は引き続き２枚目の読み出しを開始する。全ての裏面画像データの画像処理が終了した後に、期間Ｔ2内で表面画像データに対応する処理パラメータを設定する。以後は、期間Ｔ1、Ｔ2における処理パラメータの設定と同様、２枚の原稿の片面の画像処理が終了したとき毎に、その反対面の画像データ用の処理パラメータを設定し、その後に２枚一組で画像データの読み出しを開始している。
【００６９】
これにより、図１６の通常モードに比べて、画像処理パラメータ切換回数を半分に減らすことができるので、切換時間が短くなる。間引き処理を実行してメモリに書き込んでいることにより、読み出しのデータ量が少なくなるので、読み出し時間が低減する。読み出し時間が低減されるので、図１８に示すように１枚目と２枚目のメモリ書き込み間隔を短くすることができる。これは即ち、読取間隔を短縮できることを意味するので、一定時間内の読取枚数が増加し生産性の向上が図れることになる。
【００７０】
このように複数枚の両面原稿の読取時の生産性向上は達成されるが、図１６と図１８のタイミングチャートの比較により、両面１枚原稿の場合は、１枚目の表面画像データの書き込み開始から１枚目の裏面画像データの画像処理終了までの時間が長くなり、効率が悪くなることがわかる。
【００７１】
そこで、図１６に示されている通常モードと図１８に示されている低解像モードとを切り換えることによって対応する。ＡＤＦで原稿を１枚搬送した時に図示せぬ原稿後端検知センサの出力により１枚原稿か複数枚原稿かを判断し、１枚原稿の場合は通常モード動作とし、複数枚原稿の場合は低解像度モードとする。また、操作部589からの読取原稿枚数設定と画像密度設定（記憶メモリの格納枚数）によって、通常モードと低解像モードの生産性の高い方を予め選択できるようにした。この選択切換は予め読取原稿枚数と読取密度による上記各モードでの生産性データがＣＰＵメモリ456に記憶されており、ＣＰＵ455が比較して生産性の高い方のモードを選択し、その動作を実行するようになっている。
【００７２】
図１１の説明に戻る。画像処理部459で処理された画像データは、画像コントロール部441に転送される。転送された画像データはプリンタ出力に合わせて、画像コントローラ481やＣＰＵ483で画像データの変換を施され、再度、画像データ処理部440の画像処理部459を経て、出力画像処理部471、ＬＤドライバ472に送られる。ＬＤドライバ472は、入力された画像データに応じてＬＤを駆動し、レーザ光を図示しない画像形成部の感光体に照射させる。感光体には静電潜像が形成され、転写、定着を経てプリント画像が出力される。なお、ここでは、画像データ処理部440におけるプリンタ出力に関する処理部として、出力画像処理部471とＬＤドライバ472を設けているが、他の構成でも構わない。
【００７３】
ここで、画像コントローラ部441での画像データ変換（回転、集約等）に時間がかかる場合がある。また、スキャナ動作（画像蓄積）においても、画像フォーマット変換（ＪＰＥＧ、ＰＤＦ等への変換）に費やす時間が更にかかる場合がある。これらの場合は、画像コントロール部441での原稿の１面の画像データ変換処理完了又は完了予測を画像データ処理部440に通知し、表裏画像読取の開始や、メモリ制御部457のコントロールに反映させることが好適である。
【００７４】
図１９は図１１のＣＩＳ213（図１２の裏面画像読取部452）の電気的構成を示すブロック図である。
それぞれがＬＥＤからなる第１光源255及び第２光源256で照明された原稿からの反射光は、図示せぬセルフォック（登録商標）レンズアレイでＲ、Ｇ、Ｂのラインセンサ241，242，243に等倍結像される。
【００７５】
Ｒ、Ｇ、Ｂのラインセンサ241，242，243はＣＭＯＳからなる。ＣＣＤでも構成可能であるが、ＣＭＯＳセンサの場合はＣＣＤシフトレジスタがないのでライン間隔を狭くできて１ライン間隔の構成が取りやすいという利点がある。Ｒ、Ｇ、Ｂのラインセンサ241，242，243は副走査方向にＲＧＢ順に並んでおり、ここでは１ライン間隔の例を示す。
【００７６】
各ラインセンサは複数チップ毎（３チップ）のチャンネル（８ｃｈ）に分かれ、それぞれ８ｃｈのＲ、Ｇ、Ｂ用のＡ／Ｄコンバータ244，245，246にて複数チップ毎に並列処理されて，並列画像データとしてデータ並べ替え処理部247に入力される。データ並べ替え処理部247では各色並列データをＲＧＢ各色１ラインの直列データに変換する。１ラインに直列変換された画像データはシェーディング補正部248に入力されて照明系の光量不均一やセンサ画素出力バラツキが補正される。
【００７７】
シェーディング補正後の画像データは、前段と後段にそれぞれ第１ＲＢデータバス切換部249、第２ＲＢデータバス切換部251を有したライン間補正部250に入力される。ＲＢデータバス切換の動作は後述するが、この出力は画像補正処理部252に入力され、補正後の各ＲＧＢ画像データがＬＶＤＳ信号にて本体側の画像処理部へ送られる。
【００７８】
画像補正処理部252は、つなぎ目補正部258、スキャナγ補正部258、色補正部260からなり、ＣＩＳユニット213内で処理を行い、ＣＩＳ特有の画像補正処理を施すことで、更なる高画質化が可能である。
【００７９】
各ラインセンサの主走査方向にセンサチップが複数並んでいるというＣＩＳの構造上、チップとチップの間に１画素の隙間が空いてしまう。つなぎ目補正部258はこの隙間の１画素を両端のチップの画像データから補正する処理である。スキャナγ補正部259では反射率リニアデータをルックアップテーブル方式でチップ毎或いは画素毎に補正することにより、複数チップから構成されているＣＩＳ特有のチップや画素の個別のバラツキを補正する。色補正部260は３次元ルックアップテーブルでチップ毎或いは画素毎に補正する。
【００８０】
ＣＩＳ制御部254は光源制御、各補正処理制御、ＡＤＦ制御部とのシリアル通信等のＣＩＳ全体の制御を行う。第１ＲＢデータバス切換部249、及び第２データバス切換部251の切換制御もＣＩＳ制御部からコントロールする。
【００８１】
ライン間補正のＲＢデータバス切換について説明する。図１９のＲＧＢのラインセンサ241，242，243が並んでいる場所に原稿搬送方向Ｐ（下向き矢印）で示すように、Ｒ→Ｇ→Ｂの順に画像データが読み込まれる場合、第１ＲＢデータバス切換部249は実線で示す方向に画像データを送る。この場合はスルーとなっており、切換を行わない状態である。ライン間隔は１ラインなので、ライン間補正部250ではＢデータに関しては遅延させずに通し、Ｒデータに関してはライン間補正メモリ１で２ライン遅延させ、Ｇデータに関してはライン間補正メモリ２で１ライン遅延させることで、ＲＧＢ同一ラインの読取とする。第２ＲＢデータバス切換部251は実線で示す方向に画像データを送る。この場合もスルーとなっており、切換を行わない状態である。
【００８２】
一方、図１９のＲＧＢのラインセンサ241，242，243が並んでいる場所に原稿搬送方向Ｑ（上向き矢印）で示すように、Ｂ→Ｇ→Ｒの順に画像データが読み込まれる場合、第１ＲＢデータバス切換部249は点線で示す方向に画像データを送る。この場合は図示せぬセレクタ回路によって画像データバスが切り換えられ、Ｒデータ、Ｂデータがそれぞれライン間補正部250のＢ入力、Ｒ入力へ切り換えられる。ライン間隔は１ラインなので、ライン間補正部250ではＢデータに関してはライン間補正メモリ１で２ライン遅延させ、Ｇデータに関してはライン間補正メモリ２で１ライン遅延させ、Ｒデータに関しては遅延させずに通すことで、ＲＧＢ同一ラインの読取とする。この場合は第２ＲＢデータバス切換部251は点線で示す方向に図示せぬセレクタ回路によって切り換えられる。この切り換えによって後段の画像補正処理部252に適正なＲＧＢ入力が行える。
【００８３】
画像補正処理部252内の色補正部260はチップ間の色味バラツキをチップ毎または画素毎に補正する。この補正によってシェーディング補正で取れないセンサフィルタの分光分布のバラツキを補正できるので、スジ、ムラによる画像劣化原因を除去することができる。また、センサフィルタのロットの変わり目等によるチップ毎のバラツキがあっても補正可能となり高画質化が図れる。色補正部260においては同一ラインのＲＧＢデータが必要であるので、ＣＩＳユニット213内で色補正を行うためライン間補正部250が必要となる。
【００８４】
本実施形態ではライン間隔を１ラインとしてライン間補正部250のライン間補正メモリ１は２ライン分のメモリ、ライン間補正メモリ２は１ライン分のメモリのみを持つ構成とした。このため等倍速度での読取構成となっている。これにより拡大時のライン間補正メモリの増加の必要がなく、また縮小及びズーム変倍での１ライン以内のドット補正回路が必要なくなるので、コストダウンが図れる。変倍は後段の図１１の画像処理部459の電子変倍で対応する。原稿走査が等倍速度のみでよい場合は、駆動モータの加速トルクが一定となり、モータのコストダウンが図れる。さらに対応速度が等倍のみとなるので、モータ電流の最適化が行い易くなり、速度リップルが低減して画像読取品質が改善できる。
【００８５】
以上詳細に説明したように、本実施形態は下記（１）〜（７）の効果を有する。
（１）原稿の表裏両面を等倍で読み取った場合でも、画像データの画像密度が低解像度出力に設定されている場合は、間引き処理を実行して、等倍時の表裏１枚分の容量のメモリ458に１枚目と２枚目の両面画像データを書き込めるようにすることで、メモリ容量を増大させずに２枚分の両面画像データを記憶することができる。
（２）２枚分の両面画像データを記憶したメモリ458から１枚目の表面画像データ、２枚目の表面画像データの順に読み出し、画像処理を実行してから、裏面の画像処理パラメータに切換えて、１枚目の裏面画像データ、２枚目の裏面画像データの順に読み出すように、２枚分の両面画像データの読み出し順序を変更するとともに、表面と裏面の画像処理パラメータの切換回数を１／２にしてパラメータ設定時間の短縮を可能とし、生産性を向上させることができる。
（３）原稿表面の読取手段451が縮小系ＣＣＤデバイスであり、裏面の読取手段452がＣＭＯＳセンサからなるＣＩＳデバイスであるため、イメージセンサの種類が異なるが、ＭＴＦ補正やγ補正の画像処理パラメータを変えることにより表面と裏面の画像品質を同じにすることができる。また、カラー読取手段の場合は表面と裏面で色フィルタの分光分布が異なっていても、画像処理パラメータを変えることにより、表面と裏面の画像品質を同じにすることができる。
（４）表面の読取手段451の光源がキセノン光源であり、裏面の読取手段452の光源がＬＥＤ光源であるため、光源の分光分布が異なるが、画像処理パラメータを変えることにより、表面と裏面の色再現性を同等にすることができる。
（５）画像処理部459の動作クロックをメモリ制御部457の読み出しクロックとすることにより、画像処理部459の最大動作クロックに設定することで構成上、動作クロックとして最大限の生産性向上を実現することができる。
（６）メモリ458からの読み出し中に次の原稿の画像データの書き込みを行うことにより、記憶領域を有効利用して生産性を向上させることができる。
（７）２枚分の両面画像データを記憶したメモリ458から２枚分の表面画像データを読み出し、その画像処理終了後に裏面の画像処理パラメータに切り換えて、２枚分の裏面画像データを読み出し、その画像処理を行う第１モードと、原稿１枚毎に表面画像データの読み出し、その画像処理、裏面の画像処理パラメータへの切り換え、表面画像データの読み出し、その画像処理を実行する第２モードを持ち、読取対象原稿が１枚の場合は第２モード、複数枚の場合は第１モードを、ＡＤＦの原稿センサの出力、或いは操作部489からの読取原稿枚数設定と画像密度設定（記憶メモリの格納枚数）を基に選択することにより、原稿の枚数に関係なく高い生産性を得ることができる。
【００８６】
なお、本発明は、画像蓄積装置（画像ファイリング装置）、及びデジタル複合機などの画像形成装置に適用することもできる。
【図面の簡単な説明】
【００８７】
【図１】本発明の適用対象である画像形成装置の全体レイアウト図である。
【図２】図１の画像表示ユニットの機能ブロック図である。
【図３】図１の画像表示ユニットの外観の平面図である。
【図４】図１の操作部ユニットの外観の平面図である。
【図５】図１の操作部ユニットのＬＣＤパネル上に形成されるタッチパネルキーの一例を示す平面図である。
【図６】図５の変倍キー押下による画面展開の一例を示す図である。
【図７】タッチパネル検出回路を示す図である。
【図８】図７のタッチパネル検出回路の各端子に設定される電圧を示す図である。
【図９】図１の操作部ユニッの回路構成を示すブロック図である。
【図１０】本発明の実施形態の画像読取装置の概略構成を示す断面図である。
【図１１】図１０の画像読取装置を含む画像複写装置の電気的構成を示すブロック図である。
【図１２】図１１のメモリ制御部、メモリ、及び画像処理部の入出力データ及び動作クロックの関係を示す図である。
【図１３】図１１のメモリに対する表面画像データ及び裏面画像データの書き込みタイミング及び読み出しタイミングの詳細を示す図の一部である。
【図１４】図１１のメモリに対する表面画像データ及び裏面画像データの書き込みタイミング及び読み出しタイミングの詳細を示す図の残りの部分である。
【図１５】原稿の両面読取を複数枚の原稿に対し連続的に行う場合の表面画像データ及び裏面画像データの書き込みタイミング及び読み出しタイミングの詳細を示す図である。
【図１６】原稿の両面読取を複数枚の原稿に対し連続的に行う場合の表面画像データ及び裏面画像データに応じた処理パラメータの設定タイミングを示す図である。
【図１７】低解像モード時の連続画像読取時の表面画像データ及び裏面画像データの書き込みタイミング及び読み出しタイミングの詳細を示す図である。
【図１８】低解像モード時の連続画像読取時の表面画像データ及び裏面画像データの書き込みタイミング及び読み出しタイミングとともに処理パラメータの設定タイミングを示す図である。
【図１９】図１１のＣＩＳ（図１２の裏面画像読取部）の電気的構成を示すブロック図である。
【符号の説明】
【００８８】
213・・・ＣＩＳ、226・・・ＣＣＤ、451・・・表面画像読取手段、452・・・裏面画像読取手段、453，454・・・データ変換部、455・・・ＣＰＵ、457・・・メモリ制御部、458・・・メモリ、459・・・画像処理部、489・・・操作部。
【図１】
2010034751.tif 000003
【図２】
2010034751.tif 000004
【図３】
2010034751.tif 000005
【図４】
2010034751.tif 000006
【図５】
2010034751.tif 000007
【図６】
2010034751.tif 000008
【図７】
2010034751.tif 000009
【図８】
2010034751.tif 000010
【図９】
2010034751.tif 000011
【図１０】
2010034751.tif 000012
【図１１】
2010034751.tif 000013
【図１２】
2010034751.tif 000014
【図１３】
2010034751.tif 000015
【図１４】
2010034751.tif 000016
【図１５】
2010034751.tif 000017
【図１６】
2010034751.tif 000018
【図１７】
2010034751.tif 000019
【図１８】
2010034751.tif 000020
【図１９】
2010034751.tif 000021